(57)【要約】【課題】光を投射する投射部の投射方向側に遮蔽物が存在することを正確に検知する。【解決手段】光源と、光源からの光を投射する投射部５と、投射部５からの光を透過するとともに、外気から投射部５を防塵する防塵ガラス８と、防塵ガラス８の端面に設けられる照度センサ４と、を備え、照度センサ４は、投射部５により出射される光の反射光であって、反射光が防塵ガラス８内部で反射した内部反射光を検出する。【選択図】図３
2015158561.tif 000002
【特許請求の範囲】
【請求項１】
光源と、
該光源からの光を投射する投射部と、
該投射部からの光を透過するとともに、外気から前記投射部を防塵する防塵部材と、
該防塵部材の端面に設けられる光検出手段と、を備え、
前記光検出手段は、前記投射部により出射される光の反射光であって、該反射光が前記防塵部材内部で反射した内部反射光を検出することを特徴とする画像投射装置。
【請求項２】
保護動作を実行する制御手段を備え、
前記制御手段は、前記光検出手段が検出した前記内部反射光が所定の閾値以上である場合に、前記保護動作を実行することを特徴とする請求項１に記載の画像投射装置。
【請求項３】
前記防塵部材の複数の端面に前記光検出手段を備えることを特徴とする請求項１または２に記載の画像投射装置。
【請求項４】
前記防塵部材において、前記光検出手段が設けられない端面のうちの一部または全部が前記内部反射光を全反射するミラーであることを特徴とする請求項１から３までのいずれかに記載の画像投射装置。
【請求項５】
外部から入力される映像信号を処理する信号処理手段と、
該信号処理手段によって処理された映像信号に基づく映像を表示し、該映像に基づき前記光源からの光を変調する変調手段と、を備え、
前記制御手段は、前記保護動作を実行する場合には、前記変調手段に黒の映像を表示させるように制御することを特徴とする請求項２に記載の画像投射装置。
【請求項６】
前記制御手段は、前記保護動作を実行する場合には、前記光源を消灯させる、または、前記光源の点灯電力を所定の値以下になるように制御することを特徴とする請求項２に記載の画像投射装置。
【請求項７】
前記制御手段は、前記光源の使用時間、および／または、前記光源の使用電力に応じて前記閾値を変更することを特徴とする請求項２に記載の画像投射装置。
【請求項８】
外部から入力される映像信号を処理する信号処理手段と、
該信号処理手段によって処理された映像信号に基づく映像を表示し、該映像に基づき前記光源からの光を変調する変調手段と、を備え、
前記制御手段は、前記映像の特性に応じて前記閾値を変更することを特徴とする請求項２に記載の画像投射装置。
【請求項９】
外光の光量値を検知する外光検出手段を備え、
前記制御手段は、前記外光検出手段により検知される外光の光量値の大きさに応じて、前記閾値を変更することを特徴とする請求項２に記載の画像投射装置。
【請求項１０】
音声出力手段を備え、
前記制御手段は、前記保護動作を実行する場合には、前記音声出力手段により警告音を出力するように制御することを特徴とする請求項２に記載の画像投射装置。
【発明の詳細な説明】
【技術分野】
【０００１】
本発明は、画像投射装置に関する。
【背景技術】
【０００２】
画像投射装置として広く知られたプロジェクタは、近来、液晶パネルの高解像化、光源ランプの高効率化に伴う明るさの改善、低価格化などが進んでいる。例えば、ＤＭＤ（Digital  Micro-mirror  Device）を利用した小型軽量な画像投射装置が普及し、オフィスや学校のみならず家庭においても広くこれら画像投射装置が利用されるようになってきている。
【０００３】
投射レンズを用いて、投影画像を被投射面（スクリーン）に拡大投影する画像投射装置では、光の出射部からは強力な光が出力されているため、スクリーン側から光の出射部を覗く事は非常に危険な行為であって、目を傷つける可能性がある。このためプロジェクタには、覗き防止等の注意書きがされている。
【０００４】
また、光の出射部の直前に遮光目的で資料や手帳などの物（遮蔽物という）を置くと集光された光による熱によって、遮蔽物との間に蓄熱が発生し、画像投射装置本体、特に投射レンズ周辺の温度が上昇してしまう過昇温状態となってしまう。このように、画像投射装置が過昇温状態となってしまうと、画像投射装置の故障に繋がるおそれがある。また、遮蔽物自体も加熱されてしまうため好ましくない。
【０００５】
これに対し、特許文献１には、図１４に示すように、プロジェクタ本体９０内部を冷却した空気を投射レンズ９１側から排気をして（排気流９３）、投射レンズ９１の前に配置された遮蔽物９４の影響で変化した排気流９３の風圧をセンサ９２により検出し、その検出値に基づき、プロジェクタのランプ出力を制御することにより、遮蔽物の影響によるプロジェクタ装置の故障を防ぐプロジェクタ装置が開示されている。
【発明の概要】
【発明が解決しようとする課題】
【０００６】
しかしながら、特許文献１の技術では、センサ９２によって検出される風圧の変化は、遮蔽の影響のみよって引き起こされるものではなく、プロジェクタ装置が設置される室内環境によっても引き起こされ、刻々変化するものである。このため、プロジェクタ装置からの排気流に基づくランプ制御は必ずしも正確な制御であるとは言えないという問題がある。
【０００７】
ここで、従来よく知られる横置き型の画像投射装置は、投射レンズが装置筺体の側面側に配置されており、さらに、投影するスクリーンとの位置関係から、所謂あおり投射をする場合があるため、投射レンズの直前にノートや手帳などの遮蔽物を配置したとしても、投射レンズとこれらの遮蔽物との間に隙間が生じることとなる。このため、横置き型の画像投射装置では、上述の過昇温状態は生じ難い。
【０００８】
しかしながら、装置筐体の上面側に、投射レンズからの光を出射する投射部を備えた縦置き型の画像投射装置において、例えば、投射部を有した上面側に紙類等の遮蔽物を載せる場合には、投射部と遮蔽物とが密着し易く、両者の間に隙間が生じにくい。このため、投射部からの出射光によって遮蔽物との間に蓄熱が発生し、画像投射装置が過昇温状態となり易い。また、遮蔽物も同様に加熱されてしまう。なお、横置き型の画像投射装置であっても遮蔽物と投射レンズの距離によっては、過昇温状態となる場合がある。また、このように、遮蔽物と投射部との間に十分な隙間がない場合は、特許文献１のように風圧を検知する構成も採用できない。
【０００９】
そこで本発明は、光を投射する投射部の投射方向側に遮蔽物が存在することを正確に検知することができる画像投射装置を提供することを目的とする。
【課題を解決するための手段】
【００１０】
かかる目的を達成するため、本発明に係る画像投射装置は、光源と、該光源からの光を投射する投射部と、該投射部からの光を透過するとともに、外気から前記投射部を防塵する防塵部材と、該防塵部材の端面に設けられる光検出手段と、を備え、前記光検出手段は、前記投射部により出射される光の反射光であって、該反射光が前記防塵部材内部で反射した内部反射光を検出するものである。
【発明の効果】
【００１１】
本発明によれば、光を投射する投射部の投射方向側に遮蔽物が存在することを正確に検知することができる。
【図面の簡単な説明】
【００１２】
【図１】画像投射装置によりスクリーンに画像を投影する様子を示す説明図である。
【図２】画像投射装置の投射部の構成を示す模式図である。
【図３】投射部の上面に遮蔽物が載置された様子を示す模式図である。
【図４】画像投射装置の上面図である。
【図５】防塵ガラスの端面に照度センサを設けた様子を示す模式図である。
【図６】照度センサの配置例を示す上面図である。
【図７】外部照度センサを設けた様子を示す模式図である。
【図８】照度センサを２箇所設けた場合の配置例を示す上面図である。
【図９】防塵ガラスの端面をミラーとした場合の上面図である。
【図１０】照度センサを２箇所設けるとともに防塵ガラスの端面をミラーとした場合の上面図である。
【図１１】照度センサの検知領域以外の部分をミラーにした場合の上面図である。
【図１２】画像投射装置の構成の一例を示すブロック図である。
【図１３】遮蔽物検出及びそれに続く保護動作に係るフローチャートである。
【図１４】特許文献１のプロジェクタの説明図である。
【発明を実施するための形態】
【００１３】
以下、本発明に係る構成を図１から図１３に示す実施の形態に基づいて詳細に説明する。
【００１４】
本実施形態に係る画像投射装置は、光源（ランプＬ）と、該光源からの光を投射する投射部（投射部５）と、該投射部からの光を透過するとともに、外気から投射部を防塵する防塵部材（防塵ガラス８）と、該防塵部材の端面に設けられる光検出手段（照度センサ４）と、を備え、光検出手段は、投射部により出射される光の反射光（遮蔽物３０による反射光）であって、該反射光が防塵部材内部で反射した内部反射光（内部反射光Ｌ３）を検出するものである。なお、括弧内は実施形態での符号、適用例を示す。
【００１５】
（遮蔽物の検出制御）
図１は、本実施形態に係る画像投射装置によりスクリーンに画像を投影する様子を示す説明図である。図１に示す画像投射装置１は、筐体１ａの上面１ｂ側に投射レンズからの光を投射する投射部５を備え、スクリーンＳに対して下側から光を投射することにより画像を投射するプロジェクタを示している。この画像投射装置１は、筐体１ａの水平または傾斜させた上面１ｂに投射部５を設け、設置面Ｇに対して縦置きにて使用することで、従来の横置き型の画像投射装置に比べて、設置スペースを小さくでき、また、スクリーンＳと画像投射装置１との距離も短くできるために、狭い部屋での利用等に特に好適である。
【００１６】
図２は、画像投射装置１の投射部５の構成を示す模式図である。また、図３は、図２において投射部５の上面１ｂ側に遮蔽物３０が載置された様子を示す模式図である。図２に示すように、投射部５には、投射レンズ２、反射ミラー６が設けられており、投射レンズ２からの出射光Ｌ１を、反射ミラー６で反射させて、この反射光Ｌ２を、画像投射装置１の上面１ｂに設けられた開口部７から出射させるものである。この構成によれば、投射レンズ２から出射した光がスクリーンＳに到達するまでの光路長を長くして、画像の拡大率を稼ぐことができる。なお、反射ミラー６は光学系の構成により凹面ミラー、凸面ミラー等が適用可能である。
【００１７】
ここで、筐体１ａの開口部７をそのまま大気に開口すると、開口部７から筐体１ａ内に塵、埃が進入し、反射ミラー６等に付着してしまうため、開口部７には、外気から投射部５を防塵するための防塵部材である防塵ガラス８が配置される。
【００１８】
図４に、画像投射装置の上面図を示す。図４に示すように、筐体１ａの上面１ｂには、防塵ガラス８（投射部５）と、画像投射装置１の各種の操作指示を行う操作部３が設けられている。このため、遮蔽物３０は、操作部３を避けて防塵ガラス８上に置かれてしまうケースが考えられる。また、防塵ガラス８を筐体１ａの上面１ｂに配置すると、上面１ｂは平坦になるため、図３に示すように、上面１ｂに遮蔽物３０が載置されてしまうことが生じやすい。遮蔽物３０とは、例えば、ノート、手帳、本、プレゼンテーションの資料などが挙げられる。
【００１９】
ここで、図３に示すように、遮蔽物３０が防塵ガラス８上に載置されると、投射部５から本来出射されるべき光が遮られ、遮蔽物３０により筐体１ａ側へ反射されることになるため、画像投射装置１が蓄熱して過昇温状態となってしまう。また、投射部５からの出射光による熱により遮蔽物も加熱されてしまう。
【００２０】
そこで、本実施形態に係る画像投射装置１は、投射部５から投射される光を透過する防塵ガラス８の端面に、光の光量値を検出する光検出手段としての照度センサ４を設け、この照度センサ４により、筐体１ａの上面１ｂに遮蔽物３０が載せられていることを検知した場合に、所定の保護動作（詳細は後述する。）を行うようにしたものである。
【００２１】
図５は、照度センサ４を設けた画像投射装置１の拡大構成図を示す。また、図６は、遮蔽物３０がない場合において、防塵ガラス８を上から見た場合の照度センサ４の配置位置を示す説明図である。
【００２２】
図５、図６に示すように、照度センサ４は、防塵ガラス８の図中の左側の端面８ａ側に設けられている。ここで、照度センサ４は、図５に示すように、反射光Ｌ２の反射位置である反射ミラー６とは、防塵ガラス８に入射する反射光Ｌ２の法線（図中の点線）を挟んだ位置に設けられることが好ましい。
【００２３】
ここで、遮蔽物３０が防塵ガラス８に載置されていると、防塵ガラス８を透過した反射光Ｌ２は、遮蔽物３０で遮蔽されて、反射する。図５に示すように、遮蔽物３０で反射した反射光の一部は、防塵ガラス８の界面を透過して投射部５の内部に進む反射光Ｌ４となるが、遮蔽物３０で反射した反射光の一部は、界面で反射して防塵ガラス８内部で反射を繰り返す。この反射光を内部反射光Ｌ３と呼ぶ。なお、防塵ガラス８として、例えば、透過率（Ｔ）は光学的有効範囲の前面にて下記の条件を満たすものを用いることができる。
入射角４５°／波長４３０−６８０ｎｍ：Ｔ≧９６％
入射角７０°／波長４３０−６２５ｎｍ：Ｔ≧８０％
入射角７０°／波長６２５−６８０ｎｍ：Ｔ≧７８％
【００２４】
したがって、防塵ガラス８の端面８ａ側に照度センサ４を設けておくことにより、内部反射光Ｌ３を検出して、照度センサ４の設置位置での光量を検出することができる。すなわち、遮蔽物３０が防塵ガラス８に載置された場合は、通常使用時と比較して照度センサ４が検知する光量値が大きくなるので、照度センサ４で検出される値が所定の値以上となっているときは、投射部５が遮蔽されている状態であることを判断するものである。また、この場合に、所定の保護動作を実行するように制御するものである。なお、遮蔽物３０が防塵ガラス８に必ずしも載置されている場合に限らず、遮蔽物３０と防塵ガラス８の間隔が小さい場合も、照度センサ４での検出される値が大きくなるため、これを検出することが可能である。
【００２５】
また、図７に示すように、遮蔽物３０が防塵ガラス８に載置されていても、検知に影響のない位置に外部照度センサ９を設け、この外部照度センサ９により、外部の光量を検知することが好ましい。なお、図７の例では、外部照度センサ９が投射部５内に設けられているが、画像投射装置１において、外部の光を検出可能ないずれかの位置に設けられていれば良い。
【００２６】
また、遮蔽物３０による反射光は乱反射するため防塵ガラス８の内部の内部反射光Ｌ３は防塵ガラス８のいずれの端面でも検出することが可能である。図６では、照度センサ４が防塵ガラス８の図中の左側端面８ａに１つ設けられている例を説明したが、照度センサ４の配置位置および配置数は、これに限られるものではない。以下、照度センサ４の設置位置の他の好ましい形態について、図８〜図１１を参照して説明する。
【００２７】
図８は、照度センサ４を防塵ガラス８の図３における手前側の端面８ｄと奥側の端面８ｃに２箇所設けた例を示している。このように、照度センサ４の配置数を増加させることにより、防塵ガラス８内の内部反射光Ｌ３の検出精度を向上させることができる。
【００２８】
また、照度センサ４が設けられる端面以外の端面をミラー（全反射ミラー）とすることで、照度センサ４により、防塵ガラス８内の内部反射光Ｌ３をより正確に検出することができる。例えば、図９において、照度センサ４が設置される端面の対向面８ｂをミラー（図中の太線部）とすることで、防塵ガラス８内の内部反射光Ｌ３の検出精度を向上させることができる。また、他の端面８ｃ，８ｄについても同様に、ミラーにすることにより、さらに防塵ガラス８内の内部反射光Ｌ３の検出精度を向上させることができる。
【００２９】
また、例えば、図１０に示すように、図８で示した２つの照度センサ４を設ける例において、他の端面８ａ，８ｂをミラーとすることも好ましい。さらに、図１１に示すように、照度センサ４が設けられる端面以外の３端面および照度センサ４が設けられる端面における照度センサ４の受光範囲以外範囲をミラーにすることも好ましい。これにより、照度センサを増やすことなく、防塵ガラス８内の内部反射光Ｌ３の検出精度を向上させることができる。
【００３０】
（画像投射装置の構成）
図１２は、本実施形態に係る画像投射装置の構成の一例を示すブロック図である。画像投射装置１は、電源部１０、光源としてのランプＬ、投射レンズ２、信号処理手段としての映像信号処理部１１、変調手段としての光変調素子１２および光変調素子駆動部１３、光学部１５、ランプ点灯処理部１６、制御手段としてのマイコン制御部２０、操作部３、照度センサ４、外光検出手段としての外部照度センサ９、音声出力手段としてのスピーカ１７を備えている。
【００３１】
投射レンズ２は、ランプＬからの光をスクリーンＳに向けて出射する。投射レンズ２は、光変調素子１２により変調された映像信号を含む光学部１５からの光を基に、映像を拡大投影し、スクリーンＳ上に結像表示する。
【００３２】
映像信号処理部１１は、図示しないシリアルインターフェイス（Ｉ／Ｆ）等の入出力Ｉ／Ｆを介して接続されたＰＣ（パーソナルコンピュータ）などの外部装置から入力されたカラー映像信号に対して、Ａ／Ｄ変換、画角変換などの処理を行う。
【００３３】
光変調素子１２は、映像信号処理部１１により処理された映像を液晶画面等に表示するとともに、表示した映像を基に光源Ｌからの光を変調して投射レンズ２に向けて供給する。光変調素子１２としては、例えば、透過型の液晶パネルが適用可能である。
【００３４】
光変調素子駆動部１３は、カラー映像信号を液晶パネル１２に表示する形式に変換して液晶パネル１２に供給する。また、光学部１５は、ランプＬからの光を液晶パネル１２に向けて導光する。また、ランプ点灯処理部１６は、ランプＬの点灯制御を行う。
【００３５】
また、画像投射装置１のマイコン制御部２０（以下、制御部２０ともいう）は、映像信号処理部１１やランプ点灯処理部１６等を制御するとともに、照度センサ４による遮蔽物検出および遮蔽物検出時の保護動作を制御する。マイコン制御部２０は、ＣＰＵ、ＲＡＭ、ＲＯＭ等を備え、ＲＯＭに格納されたプログラムをＲＡＭに読み出して実行することにより、画像投射装置１の各種制御を実現する。
【００３６】
操作部３は、マイコン制御部２０に対する命令入力を行うためのインターフェイスである。
【００３７】
照度センサ４は、上述のように、画像投射装置１の上面１ｂに載置されたり、投射部の近傍に遮蔽物３０が存在したりする場合に、遮蔽物３０からの反射光の照度値を検知する。照度センサ４は、筐体１ａの上面１ｂにおける投射部近傍に載置された遮蔽物３０からの反射光を検知すると、その光量値の大きさに応じた検知信号をマイコン制御部２０に入力することで遮蔽物の存在を通知する。
【００３８】
また、外部照度センサ９は、装置外部の光を検知して、その光量値の大きさに応じた検知信号をマイコン制御部２０に入力する。また、スピーカ１７は、所定の警告メッセージを鳴らす。
【００３９】
（画像投射装置の制御）
次に、本実施形態に係る画像投射装置が実行する遮蔽物検知および保護動作の開始処理について説明する。図１３は、マイコン制御部２０による遮蔽物検出及びそれに続く保護動作に係るフローチャートである。
【００４０】
照度センサ４から、照度の検知信号が入力されると（Ｓ１０：Ｙｅｓ）、制御部２０は、その検知信号が示す照度値の大きさ（明るさ）が、所定の閾値以上か（所定以上の明るさか）否かを判断する（Ｓ１１）。
【００４１】
判断の結果、所定以上の明るさであると判断される場合は（Ｓ１１：Ｙｅｓ）、制御部２０は、照度センサ４からの検知信号が所定時間継続して入力されるか否かを判断する（Ｓ１２）。
【００４２】
その結果、検知信号の入力が所定時間継続していると判断した場合は（Ｓ１２：Ｙｅｓ）、筐体１ａの上面１ｂに遮蔽物３０が存在すると判断して、制御部２０は保護動作を開始する（Ｓ１３）。
【００４３】
一方、照度センサ４で検知された照度値の大きさ（明るさ）が所定の閾値以下の場合（Ｓ１１：Ｎｏ）、所定の閾値以上であってもそれが所定時間継続しない場合（Ｓ１２：Ｎｏ）は、制御部２０は遮蔽物３０が存在しないとして保護動作を行わず、通常動作を継続する（Ｓ１４）。
【００４４】
以上のように、遮蔽物検知と保護動作開始の判断基準となる項目は、照度センサ４により検知される反射光の明るさと、検知の継続時間である。
【００４５】
（保護動作）
次に、遮蔽物３０を検出した場合の保護動作（Ｓ１３）について説明する。保護動作としては、例えば、制御部２０は、映像信号処理部１１を制御して液晶パネル１２に黒の画像を表示させ、投射レンズ２から投射する光量を制限することができる。
【００４６】
液晶プロジェクタにおいて黒を表現する場合には、液晶パネル１２に含まれる液晶素子を光変調素子駆動部１３によって光が透過しないようにするため、全画面を黒にすれば、液晶プロジェクタから出射される光量を制限することが可能となるからである。このように、出射光量を制限することで、画像投射装置１の発熱を抑えるとともに、遮蔽物３０の加熱を防ぐことができる。
【００４７】
また、保護動作として、ランプ点灯処理部１６を制御してランプＬを消灯させ画像投射装置１の動作を停止させても良い。ランプＬを消灯することで、画像投射装置１の発熱を抑えるとともに、遮蔽物３０の加熱を防ぐことができる。
【００４８】
また、保護動作として、ランプ点灯処理部１６を制御してランプＬの点灯電力（使用電力）を所定の値以下となるように制御するようにしても良い。これにより、画像投射装置１の発熱を抑えるとともに、遮蔽物３０の加熱を防ぐことができる。
【００４９】
また、圧電ブザーなどを画像投射装置１に備え、これを制御して警告音を鳴らす、あるいはスピーカ１７からあらかじめ設定しておいた警告メッセージを鳴らすようにしても良い。警告メッセージによって、使用者には、画像投射装置１の使用の停止、遮蔽物３０の除去など、対策をとらせることが可能となる。
【００５０】
また、以上説明した保護動作を組み合わせて複数実行するようにしても良い。
【００５１】
（遮蔽物の有無を判断するための照度値）
Ｓ１１において、遮蔽物３０が存在すると制御部２０が判断する照度値の閾値は、一定の値としても良いし、画像投射装置１の使用状態から決定される可変値としても良い。画像投射装置の使用状態として、例えば、ランプＬの動作能力、動作時間、投影画像の色、濃さ、外光の有無等が挙げられる。
【００５２】
例えば、上述のように、画像投射装置１が設置される部屋の室内光などの外光を検知する外部照度センサ９を、照度センサ４とは別に設け、制御部２０は、この外部照度センサ９によって検知される外光の強さに応じて閾値を変化させることが好ましい。この場合、外部照度センサ９が遮蔽物３０からの反射光を受光しないように、投射レンズ２や照度センサ４と設けた面とは反対側の面に配置する等の配置とすることが好ましい。
【００５３】
例えば、外部照度センサ９で検出される外光の光量値が大きい（例えば、室内が明るい）場合は、照度センサ４における遮蔽物３０からの反射光の影響が相対的に小さいので、照度センサ４における照度値の閾値を高く設定することができる。それに対し、外部照度センサ９で検出される外光の光量値が小さい（室内が暗い）場合は、照度センサ４における遮蔽物３０からの反射光の影響が顕著であるから、照度センサ４における照度値の閾値を低く設定することができる。
【００５４】
また、ランプＬの使用時間を計時する計時手段としてのタイマを備え、タイマによって計時されるランプＬの使用時間に応じて、遮蔽物の有無を判断する照度値の閾値を変化させることが好ましい。また、ランプＬの電力に応じて、遮蔽物３０の有無を判断する照度値の閾値を変化させることも好ましい。
【００５５】
すなわち、ランプＬを長時間使用している場合、または電力値が大きい場合、ランプＬや画像投射装置１の筐体１ａ内は高温となっているため、照度センサ４における照度値の閾値を低く設定して、保護動作に移行し易くする。
【００５６】
また、この場合において、図１３のＳ１２における継続時間も短く設定することが望ましい。また、投射レンズ２から投影する映像（色、濃さ）の特性に応じて遮蔽物の有無を判断する閾値を変化させることが好ましい。上記したように、映像の色や濃さによって投射レンズ２から出射される光の光量が変化し、明るい色や濃い色の場合、光量は大きくなる。その場合、投射レンズ２における熱量も大きくなり、ランプＬや画像投射装置１の筐体１ａ内が高温となるため、照度センサ４における照度値の閾値を低く設定して、保護動作に移行し易くするものである。
【００５７】
また、以上説明した閾値の変更制御を組み合わせて複数実行するようにしても良い。
【００５８】
以上説明した本実施形態に係る画像投射装置１によれば、画像投射装置１の投射部５の防塵ガラス８の端面に照度センサ４を備えることで、光を投射する投射部５の投射方向側に遮蔽物３０が存在することを正確に検知することができる。すなわち、光を投射する投射部５から投射された光の光軸上に遮蔽物３０が存在する場合には、投射光が遮蔽物３０の表面に当たることで乱反射をおこし、防塵ガラス８の界面で反射を繰り返した後、端面から出射されるので、その光を照度センサ４が感知することができる。
【００５９】
そして、照度センサ４にて検知される値が所定レベル以上の場合は、遮蔽物３０が存在すると判断して、所定の保護動作を実行することで、画像投射装置１が蓄熱し、過昇温度状態となることを防止することができる。したがって、画像投射装置１の故障等の発生を未然に防止することができる。また、載置された遮蔽物３０が加熱されてしまうことを防止することができる。
【００６０】
尚、上述の実施形態は本発明の好適な実施の例ではあるがこれに限定されるものではなく、本発明の要旨を逸脱しない範囲において種々変形実施可能である。例えば、上記実施形態では、縦置き型の画像投射装置を例に説明したが、本発明に係る構成を横置き型の画像投射装置に適用しても良いのは勿論である。
【符号の説明】
【００６１】
１  画像投射装置
１ａ  筐体
１ｂ  上面
２  投射レンズ
３  操作部
４  照度センサ
５  投射部
６  反射ミラー
７  開口部
８  防塵ガラス
８ａ，８ｂ，８ｃ，８ｄ  端面
９  外部照度センサ
１０  電源部
１１  映像信号処理部
１２  光変調素子
１３  光変調素子駆動部
１５  光学部
１６  ランプ点灯処理部
１７  スピーカ
２０  マイコン制御部
３０  遮蔽物
９０  プロジェクタ本体
９１  投射レンズ
９２  センサ
９３  排気流
９４  遮蔽物
Ｇ  設置面
Ｌ  ランプ
Ｌ１  出射光
Ｌ２  反射光
Ｌ３  内部反射光
Ｌ４  反射光
Ｓ  スクリーン
【先行技術文献】
【特許文献】
【００６２】
【特許文献１】特開２００１−９２０１４号公報
【図１】
2015158561.tif 000003
【図２】
2015158561.tif 000004
【図４】
2015158561.tif 000005
【図１２】
2015158561.tif 000006
【図１３】
2015158561.tif 000007
【図１４】
2015158561.tif 000008
【図３】
2015158561.tif 000009
【図５】
2015158561.tif 000010
【図６】
2015158561.tif 000011
【図７】
2015158561.tif 000012
【図８】
2015158561.tif 000013
【図９】
2015158561.tif 000014
【図１０】
2015158561.tif 000015
【図１１】
2015158561.tif 000016